(57)【要約】  【課題】  レーザビームを照射することにより、電子情報の記録がなされた記録済み領域が瞬時に認識できる可視情報を効率良く、且つ、正確に記録することができる光ディスク装置を提供する。  【解決手段】  受信部２２で受信したデジタル放送信号から放送番組の映像データや音声データから成る電子情報を抽出する信号処理部２６と、前記放送番組のＥＰＧデータを取得するＥＰＧデコーダ２３と、前記ＥＰＧデータから前記放送番組の電子情報のＤＶＤ５０の記録面における記録領域を算出し、ＤＶＤ５０のレーベル面に前記記録領域を示す画像を形成するための画像データを生成する画像データ生成手段２４ａと、ＤＶＤ５０に前記放送番組の電子情報の記録を行う際に、前記電子情報に基づいて第１のレーザビームが照射され、前記画像データに基づいて第２のレーザビームが照射されるように制御するディスク制御部１７とを備える。【選択図】      図３
2006134426.tif 000002
【特許請求の範囲】
【請求項１】
グルーブが形成されており第１のレーザビームが照射されることにより電子情報の記録
がなされる情報記録層と、該情報記録層と相対するように設けられ第１のレーザビームと
は異なる波長帯域の第２のレーザビームが照射されることにより可視情報が形成されるレ
ーベル層と、前記情報記録層とレーベル層との間に設けられ第１のレーザビームについて
の反射率が第２のレーザビームについての反射率よりも高い二色性反射膜とを備えた光デ
ィスクに対して、第１、第２のレーザビームを前記情報記録層側から照射することにより
電子情報の記録と可視情報の形成とを行う光ディスク装置であって、
第１のレーザビームを出射する第１のレーザダイオードと、第１のレーザダイオードを
駆動する第１のレーザダイオードドライバと、第２のレーザビームを出射する第２のレー
ザダイオードと、第２のレーザダイオードを駆動する第２のレーザダイオードドライバと
、第１のレーザビームを前記情報記録層に集光させるとともに第２のレーザビームを前記
レーベル層に集光させる対物レンズと、前記対物レンズを前記光ディスクの径方向に駆動
するトラッキングアクチュエータと、前記対物レンズを光軸方向に駆動するフォーカスア
クチュエータと、第１のレーザビームの前記二色性反射膜からの反射光を受光し受光した
反射光に基づく受光信号を出力する受光素子とを有する光ピックアップと、
前記受光信号に含まれる前記グルーブの位置情報に基づいて前記トラッキングアクチュ
エータを駆動して前記光ディスクに照射されるレーザビームのトラッキング制御を行うと
ともに、前記受光信号に含まれる前記情報記録層における第１のレーザビームの焦点情報
に基づいて前記フォーカスアクチュエータを駆動して前記光ディスクに照射されるレーザ
ビームのフォーカス制御を行うサーボ回路と、
電子情報を取得する電子情報取得手段と、
該電子情報取得手段で取得する電子情報の情報量とその電子情報を識別する識別情報と
を含む関連情報を電子番組表を用いて取得する関連情報取得手段と、
該関連情報取得手段で取得した電子情報の情報量からその電子情報の前記情報記録層に
おける記録領域を算出し、前記レーベル層の前記記録領域に相対する領域にその領域の大
きさに応じた大きさでその電子情報の識別情報を示す可視情報を形成するための可視情報
データであって、前記識別情報を示す可視情報が文字から成る画像である場合は、前記文
字のフォントサイズを前記可視情報が形成される領域の大きさに合わせたフォントサイズ
に調整した可視情報データを生成する可視情報データ生成手段と、
前記情報記録層に前記電子情報取得手段で取得した電子情報の記録を行う際に、取得し
た電子情報に基づいて第１のレーザダイオードドライバに照射指示信号を与えるとともに
、前記可視情報データ生成手段で生成されたその取得した電子情報に対応する可視情報デ
ータに基づいて第２のレーザダイオードドライバに照射指示信号を与える制御手段と、
を備えたことを特徴とする光ディスク装置。
【請求項２】
第１のレーザビームが照射されることにより電子情報の記録がなされ第２のレーザビー
ムが照射されることにより可視情報が形成される光ディスクに対して、第１、第２のレー
ザビームを照射することにより電子情報の記録と可視情報の形成とを行う光ディスク装置
であって、
電子情報を取得する電子情報取得手段と、
該電子情報取得手段で取得する電子情報の情報量を含む関連情報を取得する関連情報取
得手段と、
該関連情報取得手段で取得した電子情報の情報量からその電子情報の前記光ディスクに
おける記録領域を算出し、前記光ディスクに前記記録領域を示す可視情報を形成するため
の可視情報データを生成する可視情報データ生成手段と、
前記光ディスクに前記電子情報取得手段で取得した電子情報の記録を行う際に、取得し
た電子情報に基づいて第１のレーザビームが照射されるように制御するとともに、前記可
視情報データ生成手段で生成されたその取得した電子情報に対応する可視情報データに基
づいて第２のレーザビームが照射されるように制御する制御手段と、
を備えたことを特徴とする光ディスク装置。
【請求項３】
グルーブが形成されており第１のレーザビームが照射されることにより電子情報の記録
がなされる情報記録層と、該情報記録層と相対するように設けられ第１のレーザビームと
は異なる波長帯域の第２のレーザビームが照射されることにより可視情報が形成されるレ
ーベル層と、前記情報記録層とレーベル層との間に設けられ第１のレーザビームについて
の反射率が第２のレーザビームについての反射率よりも高い二色性反射膜とを備えた光デ
ィスクに対して、第１、第２のレーザビームを前記情報記録層側から照射することにより
電子情報の記録と可視情報の形成とを行う光ディスク装置であって、
電子情報を取得する電子情報取得手段と、
該電子情報取得手段で取得する電子情報の情報量を含む関連情報を取得する関連情報取
得手段と、
該関連情報取得手段で取得した電子情報の情報量からその電子情報の前記情報記録層に
おける記録領域を算出し、前記レーベル層に前記記録領域を示す可視情報を形成するため
の可視情報データを生成する可視情報データ生成手段と、
前記情報記録層に前記電子情報取得手段で取得した電子情報の記録を行う際に、取得し
た電子情報に基づいて第１のレーザビームが照射されるように制御するとともに、前記可
視情報データ生成手段で生成されたその取得した電子情報に対応する可視情報データに基
づいて第２のレーザビームが照射されるように制御する制御手段と、
を備えたことを特徴とする光ディスク装置。
【請求項４】
前記可視情報データ生成手段は、前記関連情報取得手段で取得した電子情報の情報量か
らその電子情報の前記情報記録層における記録領域を算出し、前記レーベル層の前記記録
領域に相対する領域に前記記録領域を示す可視情報を形成するための可視情報データを生
成することを特徴とする請求項３に記載の光ディスク装置。
【請求項５】
前記関連情報取得手段が取得する関連情報には、前記電子情報取得手段で取得する電子
情報のその電子情報を識別する識別情報が含まれ、
前記可視情報データ生成手段は、前記関連情報取得手段で取得した電子情報の情報量か
らその電子情報の前記情報記録層における記録領域を算出し、前記レーベル層の前記記録
領域に相対する領域にその領域の大きさに応じた大きさでその電子情報の識別情報を示す
可視情報を形成するための可視情報データを生成することを特徴とする請求項３に記載の
光ディスク装置。
【請求項６】
前記識別情報を示す可視情報が文字から成る画像である場合、前記可視情報データ生成
手段は、前記文字のフォントサイズを前記可視情報が形成される領域の大きさに合わせた
フォントサイズに調整した可視情報データを生成することを特徴とする請求項５に記載の
光ディスク装置。
【請求項７】
前記関連情報取得手段は、前記関連情報を電子番組表を用いて取得することを特徴とす
る請求項３〜請求項６のいずれかに記載の光ディスク装置。
【請求項８】
第１のレーザビームを出射する第１のレーザダイオードと、第１のレーザダイオードを
駆動する第１のレーザダイオードドライバと、第２のレーザビームを出射する第２のレー
ザダイオードと、第２のレーザダイオードを駆動する第２のレーザダイオードドライバと
、第１のレーザビームを前記情報記録層に集光させるとともに第２のレーザビームを前記
レーベル層に集光させる対物レンズと、前記対物レンズを前記光ディスクの径方向に駆動
するトラッキングアクチュエータと、前記対物レンズを光軸方向に駆動するフォーカスア
クチュエータと、第１のレーザビームの前記二色性反射膜からの反射光を受光し受光した
反射光に基づく受光信号を出力する受光素子とを有する光ピックアップと、
前記受光信号に含まれる前記グルーブの位置情報に基づいて前記トラッキングアクチュ
エータを駆動して前記光ディスクに照射されるレーザビームのトラッキング制御を行うと
ともに、前記受光信号に含まれる前記情報記録層における第１のレーザビームの焦点情報
に基づいて前記フォーカスアクチュエータを駆動して前記光ディスクに照射されるレーザ
ビームのフォーカス制御を行うサーボ回路と、
をさらに備え、前記制御手段は、前記情報記録層に前記電子情報取得手段で取得した電
子情報の記録を行う際に、取得した電子情報に基づいて第１のレーザダイオードドライバ
に照射指示信号を与えるとともに、前記可視情報データ生成手段で生成されたその取得し
た電子情報に対応する可視情報データに基づいて第２のレーザダイオードドライバに照射
指示信号を与えることを特徴とする請求項３〜請求項７のいずれかに記載の光ディスク装
置。
【発明の詳細な説明】
【技術分野】
【０００１】
本発明は、光ディスク装置に関し、特に、光ディスクに対してレーザビームを照射する
ことにより電子情報の記録と可視情報の形成とを行う光ディスク装置に関する。
【背景技術】
【０００２】
従来から、ＣＤ（Compact Disk：コンパクトディスク）やＤＶＤ（Digital Versatile 
Disk：デジタルバーサタイルディスク）等の光ディスクに対してレーザビームを照射する
ことにより、その光ディスクに記録されている音楽情報や動画情報等の電子情報を再生し
たり、そのような電子情報をその光ディスクに記録したりする光ディスク装置が提供され
ている。
【０００３】
そのような光ディスク装置で光ディスクに電子情報の記録を行った場合、その記録した
電子情報の内容が外観で認識できれば便利であるため、ユーザは専用のプリンタ装置を用
いて、その光ディスクに記録した電子情報の内容を示す文字等（例えば、曲名や映画タイ
トル等）を円形のシートに印刷し、このシートをその光ディスクの記録面と反対の面（以
下、レーベル面という）に貼り付けるというようなことを行っていた。
【０００４】
しかしながら、この方法では、ユーザは、専用のプリンタ装置を用意する必要があり、
また、その専用プリンタ装置でのシートの印刷、印刷されたシートの光ディスクへの貼り
付け等の煩雑な作業を行う必要もあった。
【０００５】
そこで、近年、再生時や記録時に光ディスクの記録面に照射されるレーザビームを光デ
ィスクのレーベル面となる所定領域に照射し、照射した部分の発色等を変化させることに
より、光ディスクの記録内容を可視的に認識するための可視情報（例えば、曲名や映画タ
イトル等を示す文字等からなる画像）を光ディスクのレーベル面に形成（以下、印刷とも
いう）できる光ディスク装置が提供されるようになってきている。
【０００６】
また、レーザ光によりレーベル情報を書き換えすることができるレーベル記録層を有す
る光記録媒体がある（例えば、特許文献１参照）。
【０００７】
また、外部から提供される情報を特定し分類して記憶するとともに、記憶部の情報未記
録量に基づいて記憶部に記憶された情報の一部を、可搬性を有する情報記録媒体に記録さ
せる情報処理装置がある（例えば、特許文献２参照）。
【特許文献１】特開２００４−９５０９９号公報
【特許文献２】特開２００３−２３５００４号公報
【発明の開示】
【発明が解決しようとする課題】
【０００８】
しかしながら、従来の光ディスク装置を用いても、ユーザは依然として煩雑な作業を行
う必要があった。即ち、ユーザは、電子情報の記録を行う際には、光ディスクの記録面側
にレーザビームが照射されるように光ディスクを光ディスク装置に装着し、光ディスクに
可視情報（画像）の形成を行う際には、光ディスクのレーベル面側にレーザビームが照射
されるように光ディスクを裏返して再装着するという煩雑な作業を行う必要があった。
【０００９】
さらに、電子情報の記録と可視情報の形成（レーベル印刷）とを別々に行う必要がある
ので、光ディスクに電子情報の記録とレーベル印刷の両方を行うためには多くの時間がか
かり、効率が悪いという問題もあった。
【００１０】
また、レーザビームを照射してレーベル印刷を行う従来の光ディスク装置は、画像を印
刷するために照射するレーザビームのレーベル面からの反射光に基づいてそのレーザビー
ムのフォーカス制御やトラッキング制御を行わなければ、画像を正確に印刷することがで
きないので、そのフォーカス制御やトラッキング制御を行うために構成が複雑になるとい
う問題があった。
【００１１】
また、レーベル印刷により、ユーザは、記録された電子情報の内容は認識することがで
きるが、電子情報が記録されている記録済み領域は認識することができないので、その光
ディスクにあとどれだけ記録できるか、即ち、未記録領域の大きさを認識することができ
ないという問題があった。
【００１２】
また、特許文献１に記載の従来技術では、レーザ光によりレーベル情報を書き換えする
ことはできるが、やはり、電子情報記録とレーベル印刷とは別々に行う必要があるなど、
上記の問題点の解決に適用できるものではない。
【００１３】
また、特許文献２に記載の従来技術では、可搬性を有する情報記録媒体へ書き込んだ情
報を記憶部から消去するときに、その記憶部にその情報を識別する番組情報と前記情報記
録媒体を識別するＩＤ情報とを記録し、前記情報記録媒体のレーベル面にそのＩＤ情報を
明記することにより、記憶部から移した情報の管理ができるようにするとともに記憶部の
記録容量を確保することができるが、前記記憶媒体のレーベル面へのＩＤ情報の明記は、
マジックや印刷等によって人が書き込むことになっており、上記の問題点の解決に適用で
きるものではない。
【００１４】
本発明は、上記の問題点を解決するためになされたもので、光ディスクのレーベル印刷
を行う際に、光ディスクを裏返して装着するという煩雑な作業を行う必要がなく、レーザ
ビームを照射することにより光ディスクのレーベル面に、記録された電子情報の内容とそ
の電子情報の記録がなされた記録済み領域が瞬時に認識できる可視情報を効率良く、且つ
、正確に形成することができる光ディスク装置を提供することを目的とする。
【課題を解決するための手段】
【００１５】
上記目的を達成するために、請求項１の発明は、グルーブが形成されており第１のレー
ザビームが照射されることにより電子情報の記録がなされる情報記録層と、該情報記録層
と相対するように設けられ第１のレーザビームとは異なる波長帯域の第２のレーザビーム
が照射されることにより可視情報が形成されるレーベル層と、前記情報記録層とレーベル
層との間に設けられ第１のレーザビームについての反射率が第２のレーザビームについて
の反射率よりも高い二色性反射膜とを備えた光ディスクに対して、第１、第２のレーザビ
ームを前記情報記録層側から照射することにより電子情報の記録と可視情報の形成とを行
う光ディスク装置であって、第１のレーザビームを出射する第１のレーザダイオードと、
第１のレーザダイオードを駆動する第１のレーザダイオードドライバと、第２のレーザビ
ームを出射する第２のレーザダイオードと、第２のレーザダイオードを駆動する第２のレ
ーザダイオードドライバと、第１のレーザビームを前記情報記録層に集光させるとともに
第２のレーザビームを前記レーベル層に集光させる対物レンズと、前記対物レンズを前記
光ディスクの径方向に駆動するトラッキングアクチュエータと、前記対物レンズを光軸方
向に駆動するフォーカスアクチュエータと、第１のレーザビームの前記二色性反射膜から
の反射光を受光し受光した反射光に基づく受光信号を出力する受光素子とを有する光ピッ
クアップと、前記受光信号に含まれる前記グルーブの位置情報に基づいて前記トラッキン
グアクチュエータを駆動して前記光ディスクに照射されるレーザビームのトラッキング制
御を行うとともに、前記受光信号に含まれる前記情報記録層における第１のレーザビーム
の焦点情報に基づいて前記フォーカスアクチュエータを駆動して前記光ディスクに照射さ
れるレーザビームのフォーカス制御を行うサーボ回路と、電子情報を取得する電子情報取
得手段と、該電子情報取得手段で取得する電子情報の情報量とその電子情報を識別する識
別情報とを含む関連情報を電子番組表を用いて取得する関連情報取得手段と、該関連情報
取得手段で取得した電子情報の情報量からその電子情報の前記情報記録層における記録領
域を算出し、前記レーベル層の前記記録領域に相対する領域にその領域の大きさに応じた
大きさでその電子情報の識別情報を示す可視情報を形成するための可視情報データであっ
て、前記識別情報を示す可視情報が文字から成る画像である場合は、前記文字のフォント
サイズを前記可視情報が形成される領域の大きさに合わせたフォントサイズに調整した可
視情報データを生成する可視情報データ生成手段と、前記情報記録層に前記電子情報取得
手段で取得した電子情報の記録を行う際に、取得した電子情報に基づいて第１のレーザダ
イオードドライバに照射指示信号を与えるとともに、前記可視情報データ生成手段で生成
されたその取得した電子情報に対応する可視情報データに基づいて第２のレーザダイオー
ドドライバに照射指示信号を与える制御手段とを備えたことを特徴とする光ディスク装置
を提供する。
【００１６】
この構成によれば、光ディスクに電子情報の記録を行う際には、制御手段が電子情報取
得手段で取得した電子情報に基づいて第１のレーザダイオードドライバを駆動することに
より、第１のレーザダイオードから第１のレーザビームが前記光ディスクの情報記録層に
照射される。これにより、前記光ディスクの情報記録層に前記電子情報の記録がなされる
。尚、このとき、照射された第１のレーザビームは前記光ディスクの二色性反射膜で反射
されるので、前記光ディスクのレーベル層に影響を及ぼすことはない。
【００１７】
また、記録される電子情報の情報量とその電子情報を識別する識別情報とを含む関連情
報が関連情報取得手段により電子番組表を用いて取得されており、このとき、可視情報デ
ータ生成手段は、該関連情報取得手段で取得した記録する電子情報の情報量からこの電子
情報の前記情報記録層における記録領域を算出し、前記レーベル層の前記記録領域に相対
する領域にその領域の大きさに応じた大きさでその電子情報の識別情報を示す可視情報を
形成するための可視情報データであって、前記識別情報を示す可視情報が文字から成る画
像である場合は、前記文字のフォントサイズを前記可視情報が形成される領域の大きさに
合わせたフォントサイズに調整した可視情報データを生成する。
【００１８】
そして、前記制御手段が、前記可視情報データ生成手段で生成された記録する電子情報
に対応する可視情報データに基づいて第２のレーザダイオードドライバを駆動することに
より、第２のレーザダイオードから第２のレーザビームが前記光ディスクのレーベル層に
照射される。これにより、前記光ディスクのレーベル層に前記記録領域の大きさに応じた
大きさで、記録する電子情報の識別情報を示す可視情報の形成がなされる。尚、このとき
、照射された第２のレーザビームは前記二色性反射膜を透過して前記レーベル層に到達す
る。
【００１９】
また、このとき、サーボ回路により、照射された第１のレーザビームの二色性反射膜か
らの反射光に基づく受光信号に含まれる前記光ディスクのグルーブの位置情報に基づいて
対物レンズを駆動するトラッキングアクチュエータが駆動され光ディスクに照射されるレ
ーザビームのトラッキング制御が行われる。さらに、同時に、サーボ回路により、前記受
光信号に含まれる前記光ディスクの情報記録層における第１のレーザビームの焦点情報に
基づいて対物レンズを駆動するフォーカスアクチュエータが駆動され光ディスクに照射さ
れるレーザビームのフォーカス制御が行われる。これにより、第１、第２のレーザビーム
は同じ対物レンズにより集光されることから、第１、第２のレーザビームの両方ともにト
ラッキング制御及びフォーカス制御がなされることになる。
【００２０】
請求項２の発明は、第１のレーザビームが照射されることにより電子情報の記録がなさ
れ第２のレーザビームが照射されることにより可視情報が形成される光ディスクに対して
、第１、第２のレーザビームを照射することにより電子情報の記録と可視情報の形成とを
行う光ディスク装置であって、電子情報を取得する電子情報取得手段と、該電子情報取得
手段で取得する電子情報の情報量を含む関連情報を取得する関連情報取得手段と、該関連
情報取得手段で取得した電子情報の情報量からその電子情報の前記光ディスクにおける記
録領域を算出し、前記光ディスクに前記記録領域を示す可視情報を形成するための可視情
報データを生成する可視情報データ生成手段と、前記光ディスクに前記電子情報取得手段
で取得した電子情報の記録を行う際に、取得した電子情報に基づいて第１のレーザビーム
が照射されるように制御するとともに、前記可視情報データ生成手段で生成されたその取
得した電子情報に対応する可視情報データに基づいて第２のレーザビームが照射されるよ
うに制御する制御手段とを備えたことを特徴とする光ディスク装置を提供する。
【００２１】
この構成によれば、光ディスクに電子情報の記録を行う際には、制御手段が、電子情報
取得手段で取得した電子情報に基づいて第１のレーザビームが前記光ディスクに照射され
るように制御する。これにより、前記光ディスクに前記電子情報の記録がなされる。
【００２２】
また、記録される電子情報の情報量を含む関連情報が関連情報取得手段により取得され
ており、このとき、可視情報データ生成手段は、該関連情報取得手段で取得した記録する
電子情報の情報量からその電子情報の前記光ディスクにおける記録領域を算出し、前記光
ディスクに前記記録領域を示す可視情報を形成するための可視情報データを生成する。
【００２３】
そして、前記制御手段が、前記可視情報データ生成手段で生成された記録する電子情報
に対応する可視情報データに基づいて第２のレーザビームが前記光ディスクに照射される
ように制御する。これにより、前記光ディスクに前記記録領域を示す可視情報の形成がな
される。
【００２４】
請求項３の発明は、グルーブが形成されており第１のレーザビームが照射されることに
より電子情報の記録がなされる情報記録層と、該情報記録層と相対するように設けられ第
１のレーザビームとは異なる波長帯域の第２のレーザビームが照射されることにより可視
情報が形成されるレーベル層と、前記情報記録層とレーベル層との間に設けられ第１のレ
ーザビームについての反射率が第２のレーザビームについての反射率よりも高い二色性反
射膜とを備えた光ディスクに対して、第１、第２のレーザビームを前記情報記録層側から
照射することにより電子情報の記録と可視情報の形成とを行う光ディスク装置であって、
電子情報を取得する電子情報取得手段と、該電子情報取得手段で取得する電子情報の情報
量を含む関連情報を取得する関連情報取得手段と、該関連情報取得手段で取得した電子情
報の情報量からその電子情報の前記情報記録層における記録領域を算出し、前記レーベル
層に前記記録領域を示す可視情報を形成するための可視情報データを生成する可視情報デ
ータ生成手段と、前記情報記録層に前記電子情報取得手段で取得した電子情報の記録を行
う際に、取得した電子情報に基づいて第１のレーザビームが照射されるように制御すると
ともに、前記可視情報データ生成手段で生成されたその取得した電子情報に対応する可視
情報データに基づいて第２のレーザビームが照射されるように制御する制御手段とを備え
たことを特徴とする光ディスク装置を提供する。
【００２５】
この構成によれば、光ディスクに電子情報の記録を行う際には、制御手段が、電子情報
取得手段で取得した電子情報に基づいて第１のレーザビームが前記光ディスクの情報記録
層に照射されるように制御する。これにより、前記光ディスクの情報記録層に前記電子情
報の記録がなされる。尚、このとき、照射された第１のレーザビームは前記光ディスクの
二色性反射膜で反射されるので、前記光ディスクのレーベル層に影響を及ぼすことはない
。
【００２６】
また、記録される電子情報の情報量を含む関連情報が関連情報取得手段により取得され
ており、このとき、可視情報データ生成手段は、該関連情報取得手段で取得した記録する
電子情報の情報量からこの電子情報の前記情報記録層における記録領域を算出し、前記レ
ーベル層に前記記録領域を示す可視情報を形成するための可視情報データを生成する。
【００２７】
そして、前記制御手段が、前記可視情報データ生成手段で生成された記録する電子情報
に対応する可視情報データに基づいて第２のレーザビームが前記光ディスクのレーベル層
に照射されるように制御する。これにより、前記光ディスクのレーベル層に前記記録領域
を示す可視情報の形成がなされる。尚、このとき、照射された第２のレーザビームは前記
二色性反射膜を透過して前記レーベル層に到達する。
【００２８】
請求項４の発明では、請求項３の発明において、前記可視情報データ生成手段は、前記
関連情報取得手段で取得した電子情報の情報量からその電子情報の前記情報記録層におけ
る記録領域を算出し、前記レーベル層の前記記録領域に相対する領域に前記記録領域を示
す可視情報を形成するための可視情報データを生成するようにしている。これによれば、
前記光ディスクのレーベル層の前記記録領域に相対する領域に前記記録領域を示す可視情
報の形成がなされることになり、電子情報が記録された記録済み領域の認識がより容易に
なる。
【００２９】
請求項５の発明では、請求項３の発明において、前記関連情報取得手段が取得する関連
情報には、前記電子情報取得手段で取得する電子情報のその電子情報を識別する識別情報
が含まれ、前記可視情報データ生成手段は、前記関連情報取得手段で取得した電子情報の
情報量からその電子情報の前記情報記録層における記録領域を算出し、前記レーベル層の
該記録領域に相対する領域にその領域の大きさに応じた大きさでその電子情報の識別情報
を示す可視情報を形成するための可視情報データを生成するようにしている。これによれ
ば、前記光ディスクのレーベル層の前記記録領域に相対する領域にその領域の大きさに応
じた大きさでその電子情報の識別情報を示す可視情報の形成がなされることになり、記録
された電子情報の内容及びその電子情報が記録された記録済み領域の認識がより容易にな
る。
【００３０】
請求項６の発明では、請求項５の発明において、前記識別情報を示す可視情報が文字か
ら成る画像である場合、前記可視情報データ生成手段は、前記文字のフォントサイズを前
記可視情報が形成される領域の大きさに合わせたフォントサイズに調整した可視情報デー
タを生成することを特徴としている。これによれば、前記レーベル層に形成される可視情
報の認識がより容易になる。
【００３１】
請求項７の発明では、請求項３〜請求項６のいずれか発明において、前記関連情報取得
手段は、前記関連情報を電子番組表を用いて取得するようにしている。このようにすれば
、容易に前記関連情報を取得することができる。
【００３２】
請求項８の発明では、請求項３〜請求項７のいずれか発明において、第１のレーザビー
ムを出射する第１のレーザダイオードと、第１のレーザダイオードを駆動する第１のレー
ザダイオードドライバと、第２のレーザビームを出射する第２のレーザダイオードと、第
２のレーザダイオードを駆動する第２のレーザダイオードドライバと、第１のレーザビー
ムを前記情報記録層に集光させるとともに第２のレーザビームを前記レーベル層に集光さ
せる対物レンズと、前記対物レンズを前記光ディスクの径方向に駆動するトラッキングア
クチュエータと、前記対物レンズを光軸方向に駆動するフォーカスアクチュエータと、第
１のレーザビームの前記二色性反射膜からの反射光を受光し受光した反射光に基づく受光
信号を出力する受光素子とを有する光ピックアップと、前記受光信号に含まれる前記グル
ーブの位置情報に基づいて前記トラッキングアクチュエータを駆動して前記光ディスクに
照射されるレーザビームのトラッキング制御を行うとともに、前記受光信号に含まれる前
記情報記録層における第１のレーザビームの焦点情報に基づいて前記フォーカスアクチュ
エータを駆動して前記光ディスクに照射されるレーザビームのフォーカス制御を行うサー
ボ回路とをさらに備え、前記制御手段は、前記情報記録層に前記電子情報取得手段で取得
した電子情報の記録を行う際に、取得した電子情報に基づいて第１のレーザダイオードド
ライバに照射指示信号を与えるとともに、前記可視情報データ生成手段で生成されたその
取得した電子情報に対応する可視情報データに基づいて第２のレーザダイオードドライバ
に照射指示信号を与えることを特徴としている。
【００３３】
この構成によれば、サーボ回路により、照射された第１のレーザビームの二色性反射膜
からの反射光に基づく受光信号に含まれる前記光ディスクのグルーブの位置情報に基づい
て対物レンズを駆動するトラッキングアクチュエータが駆動され光ディスクに照射される
レーザビームのトラッキング制御が行われる。さらに、同時に、サーボ回路により、前記
受光信号に含まれる前記光ディスクの情報記録層における第１のレーザビームの焦点情報
に基づいて対物レンズを駆動するフォーカスアクチュエータが駆動され光ディスクに照射
されるレーザビームのフォーカス制御が行われる。これにより、第１、第２のレーザビー
ムは同じ対物レンズにより集光されることから、第１、第２のレーザビームの両方ともに
トラッキング制御及びフォーカス制御がなされることになる。
【００３４】
尚、本発明が適用される光ディスク装置において、「可視情報」とは、文字、記号、イ
ラストや写真等の画像、幾何学的な模様など、目視で読み取ることが可能な情報を意味し
、「電子情報」とは、デジタル記号で記録されている情報など、その内容を何らかの再生
装置で読み取る情報を意味する。
【発明の効果】
【００３５】
以上のように本発明によれば、光ディスクの情報記録層に、電子情報取得手段で取得し
た電子情報に基づいて第１のレーザビームを照射することにより前記電子情報の記録を行
うとともに、前記光ディスクのレーベル層に、可視情報データ生成手段で生成した可視情
報データに基づいて第２のレーザビームを照射することにより、記録した電子情報を識別
しその電子情報の記録済み領域を示す可視情報を形成することができる。これにより、ユ
ーザは、目視により、記録された電子情報の内容と、その電子情報が記録された記録済み
領域を瞬時に認識することができる。
【００３６】
また、第１、第２のレーザビームをともに前記光ディスクの情報記録層側から照射して
電子情報の記録と可視情報の形成とを行うので、レーベル印刷を行うために、ユーザが、
専用のプリンタ装置を用意したり、光ディスクに別途、レーベル印刷したシートを貼った
り、或いは、光ディスクを裏返して再度装置に装着したりするような煩雑な作業をする必
要がなくなる。
【００３７】
また、本発明によれば、光ディスクに対して電子情報の記録と画像の形成とを同時進行
で行うので、光ディスクに電子情報の記録と可視情報の形成の両方を行うために要する時
間を短縮することができる。即ち、光ディスクのレーベル層に可視情報を効率良く印刷す
ることができる。
【００３８】
また、可視情報の形成のために照射される第２のレーザビームには、電子情報の記録の
ために照射される第１のレーザビームとともにトラッキング制御及びフォーカス制御がな
されるので、光ディスクのレーベル層に可視情報を正確に形成することができる。
【発明を実施するための最良の形態】
【００３９】
以下、添付図面を参照しつつ、本発明の実施形態について説明するが、先ず、本実施形
態に係る光ディスク装置が対象とする光ディスクの構成について説明し、その後、本実施
形態に係る光ディスク装置の構成及び動作等について説明する。
【００４０】
図１は、本実施形態で想定した光ディスクの構造を示す側断面図である。ここでは、光
ディスクとして、ＣＤの再生及び／または記録機能を付随したＤＶＤの記録及び再生を行
う光ディスク装置を用いて、ＤＶＤ情報の記録及び再生が可能であるとともに、ＣＤにつ
いてのレーザビームを照射することによりレーベル印刷を行うことを可能にしたＤＶＤを
想定する。
【００４１】
図１に示すＤＶＤ５０は、その厚みＴを１．２ｍｍとされ、また、基板５１、情報記録
層となる記録色素膜５２、色フィルタ（二色性反射膜）５３、レーベル層となる可視光特
性変化層５５、及び、基板５４が、順に積層されて構成されている。尚、色フィルタ５３
と可視光特性変化層５５との間には、色フィルタ５３と可視光特性変化層５５とを貼り合
わせるための接着剤等から成る透明中間層５６が存在している。また、図１はＤＶＤ５０
の構造を模式的に示しており、各層の形状、寸法比率等はこの図に示される通りではない
。
【００４２】
これらの各層のうち、記録色素膜５２の上には螺旋状にグルーブ５２ａが形成されてお
り、ＤＶＤ５０に電子情報の記録をする際には、このグルーブ５２ａ上にレーザビームが
集光されるように制御（フォーカス制御）されるとともに、このグルーブ５２ａに沿って
レーザビームが照射されるように制御（トラッキング制御）され、グルーブ５２ａ上に記
録データ長に対応するピットが形成される。
【００４３】
また、ＤＶＤ５０に記録されている情報を再生する際にも、同様に、このグルーブ５２
ａ上にレーザビームが集光されるように制御（フォーカス制御）されるとともに、このグ
ルーブ５２ａに沿ってレーザビームが照射されるように制御（トラッキング制御）され、
このときにＤＶＤ５０から反射されるそのレーザビームの反射光の信号を復調して、記録
されている電子情報の再生が行われる。
【００４４】
基板５１、５４は、例えば、ポリカーボネイト樹脂から成る。
【００４５】
また、色フィルタ５３は、Ｚｎｓ、ＳｉＯ２、ＳｉＮ等の誘電体膜またはそれらの積層
膜から形成された二色性反射膜から構成されている。色フィルタ５３は、積層膜によって
構成された方が単層の膜によって構成されるよりも所望の二色性を大きくできるため、好
ましい。
【００４６】
尚、色フィルタ５３は、誘電体膜から成る二色性反射膜に限らず、以下の化学式（化１
）として示すような構造を有するシアニン色素ＮＫ−６７（日本感光色素研究所製）等の
色素によって構成されても良い。
【００４７】
【化１】
2006134426.tif 000003
【００４８】
図２に、上記したようなシアニン色素の光学的特性として、当該シアニン色素の吸光度
及び屈折率を示す。
【００４９】
図２を参照して、上記したようなシアニン色素は、波長５５０ｎｍ近傍に吸光度の極大
を有している。そして、当該吸光度が低下し始める６５０ｎｍ近傍の領域で、屈折率が極
大値を示している。尚、このシアニン色素の屈折率の極大値は３．０程度である。従って
、色フィルタ５３は、その膜厚を最適化され、かつ薄膜化されることにより、波長６５０
ｎｍ近傍において高い反射率を呈することができる。また、シアニン色素は、ＣＤプレー
ヤにおいて情報を再生させる際に利用される光の波長である７８０ｎｍ近傍の光をほとん
ど吸収しないことから、色フィルタ５３は、高い透過率を示す。
【００５０】
尚、本実施の形態において色フィルタ５３を構成する層は、少なくともＤＶＤの記録に
利用される帯域（６３０ｎｍ〜６９０ｎｍ帯域）の反射率が、ＣＤの再生に利用される帯
域（７７０ｎｍ〜８００ｎｍ帯域）の反射率よりも高い層によって構成される。尚、色フ
ィルタ５３を構成する層は、ＤＶＤの記録に利用される帯域の屈折率が、当該帯域で３０
％以上の反射率を与えるような値を有し、また、ＣＤの再生に利用される帯域の透過率が
９０％以上である層によって構成されることが好ましい。
【００５１】
本実施の形態のＤＶＤ５０においてレーベル層となる可視光特性変化層５５は、所定の
帯域の光（例えば、波長７８０ｎｍの赤外光）を照射されることにより、照射された部位
のみ局部的に変色（または変形）する材料から成り、例えば、高分子膜から構成される。
高分子膜としては、例えば、感光材や感熱材等のように、光や熱を与えられることにより
色の変化（例えば、白色から黒等の有色への、または、透明から黒等の有色不透明への変
化）がある材料の層（感光層、感熱層等）など、所定のパワー以上の集光されたレーザビ
ームを照射されることによって、当該照射された箇所の基板５４からの可視光特性が変化
する材料から成る層が挙げられる。ここで言う可視光特性としては、視認される色につい
ての、色相、明度、及び、彩度や、吸光特性、反射率、透過率、光散乱等が考えられる。
【００５２】
また、可視光特性変化層を有する従来の光ディスクの場合、その可視光特性変化層には
、照射される所定の帯域の光（例えば、波長７８０ｎｍの赤外光）を案内するためのグル
ーブを形成する必要があったが、この可視光特性変化層５５には、そのようなグルーブを
形成する必要はない。従って、可視光特性変化層にグルーブを形成するための製造工程や
その工程で使用される金型等が不要となるので、ＤＶＤ５０の製造コストは従来のものよ
りも低減することになる。
【００５３】
ＤＶＤ５０は、上記のような各層を備えるよう製造されるのであれば、製造方法を問う
ものではないが、例えば、基板５１上に記録色素膜５２及び色フィルタ５３を蒸着させた
ものと、基板５４上に可視光特性変化層５５を蒸着させたものとを、色フィルタ５３側に
可視光特性変化層５５側を対抗させて透明中間層５６を構成する接着剤等で貼り合わせる
ことにより製造することができる。尚、透明中間層５６は透明であることが好ましい。
【００５４】
次に、上述したＤＶＤ５０に電子情報の記録及びレーベル印刷を行うことのできる光デ
ィスク装置を説明する。図３は、本実施形態に係る光ディスク装置の構成を示すブロック
図である。図３に示す光ディスク装置は、ＣＤの再生及び／または記録機能を付随したＤ
ＶＤの再生及び記録を行う光ディスク装置である。
【００５５】
図３に示すように、光ディスク装置１００は、ディスクドライバ１１０とバックエンド
である本体装置１２０とから構成されている。ディスクドライバ１１０は、光ピックアッ
プ１０、フロントエンドプロセッサ（ＦＥＰ）１３、レーザパワーコントロール（ＬＰＣ
）回路１４ａ、１４ｂ、サーボ回路１５、モータ駆動回路１６、ディスク制御部１７、ス
テッピングモータ１８、ドライバ１９、モータコントローラ２０、スピンドルモータ２１
を備えている。
【００５６】
スピンドルモータ２１は、記録再生の対象となるＤＶＤ５０を回転駆動するためのモー
タであり、モータ駆動回路１６によりその回転数が制御される。モータ駆動回路１６には
、ディスク制御部１７からの指示信号、及び、スピンドルモータ２１またはスピンドルモ
ータ２１に設けられたセンサ等からフィードバックされるスピンドルモータ２１の回転数
に応じた周波数のパルス信号が供給され、モータ駆動回路１６は、これらの供給される信
号に基づいてスピンドルモータ２１の回転制御を行う。尚、スピンドルモータ２１の回転
駆動方式には、ＤＶＤ５０を角速度一定で回転駆動する方式（ＣＡＶ方式：Constant Ang
ular Velocity）や、一定の記録線速度となるようにＤＶＤ５０を回転駆動する方式（Ｃ
ＬＶ方式：Constant Linear Velocity）があるが、いずれを用いるようにしてもよい。
【００５７】
光ピックアップ１０は、スピンドルモータ２１により回転駆動されるＤＶＤ５０に対し
てレーザビームを照射するユニットである。
【００５８】
図４に光ピックアップ１０の構成を示す。図４に示すように、光ピックアップ１０は、
ＤＶＤの再生または記録用に使用される波長６６０ｎｍの赤色光であるレーザビームＬ１
を出射するレーザダイオード３７ａと、ＣＤの再生または記録用及びレーベル印刷用に使
用される波長７８０ｎｍの赤外光であるレーザビームＬ２を出射するレーザダイオード３
７ｂと、レーザダイオード３７ａを駆動するレーザダイオードドライバ（ＬＤＤ）１１ａ
と、レーザダイオード３７ｂを駆動するレーザダイオードドライバ（ＬＤＤ）１１ｂと、
レーザビームＬ１、Ｌ２をＤＶＤ５０（記録色素膜５２や可視光特性変化層５５）に集光
させるための光学系４０と、反射光を受光する受光素子３６と、受光素子３６からの受光
信号を増幅するヘッドアンプ（ＨＡ）１２とを備えている。
【００５９】
ＬＤＤ１１ａは、図３に示すディスク制御部１７からの指示信号と、ＬＰＣ回路１４ａ
からの制御信号に従ってレーザダイオード３７ａを駆動し、ＬＤＤ１１ｂは、ディスク制
御部１７からの指示信号と、ＬＰＣ回路１４ｂからの制御信号に従ってレーザダイオード
３７ｂを駆動する。
【００６０】
レーザダイオード３７ａは、ＬＤＤ１１ａから駆動電流が供給されると、該駆動電流に
応じた強度のレーザビームＬ１を出射する。そして、レーザダイオード５３ａより出射さ
れたレーザビームＬ１は回折格子３８ａにより主ビームと２つの副ビーム（先行ビーム、
後行ビーム）に分離され、これら３つのレーザビームＬ１は偏光ビームスプリッタ３９ａ
、３９ｂ、コリメータレンズ３０、１／４波長板３１、対物レンズ３２を経て、図５に示
すように、ＤＶＤ５０の記録面である記録色素膜５２に集光される。
【００６１】
このレーザビームＬ１は、ＤＶＤ５０の色フィルタ５３において反射されるので、記録
色素膜５２に対する情報の再生または記録のために照射されるレーザビームＬ１が、可視
光特性変化層５５に対して、画像形成として意図しない画像を形成してしまうなどの悪影
響を及ぼすことを回避することができる。
【００６２】
そして、ＤＶＤ５０の色フィルタ５３で反射された３つのレーザビームＬ１は、再び、
対物レンズ３２、１／４波長板３１、コリメータレンズ３０、偏光ビームスプリッタ３９
ｂを透過し、偏向ビームスプリッタ３９ａで反射されて、シリンドリカルレンズ３３を経
て、受光素子３６に入射するようになっている。
【００６３】
そして、受光素子５６は、受光した信号をヘッドアンプ１２に出力し、該受光信号がヘ
ッドアンプ１２で増幅されて図３に示すＦＥＰ１３やサーボ回路１５に供給されるように
なっている。ＦＥＰ１３は、所定の変調が施されているこの受光信号を復調してディスク
制御部１７に供給する。
【００６４】
また、サーボ回路１５には、この受光信号に含まれる、トラッキング制御に使用される
グルーブ５２ａの位置情報や、フォーカス制御に使用される記録色素膜５２に集光してい
るレーザビームＬ１の焦点に関する情報（焦点情報）が供給されることになる。このトラ
ッキング制御、フォーカス制御については詳細を後述する。
【００６５】
一方、レーザダイオード３７ｂは、ＬＤＤ１１ｂから駆動電流が供給されると、該駆動
電流に応じた強度のレーザビームＬ２を出射する。そして、レーザダイオード５３ｂより
出射されたレーザビームＬ２は回折格子３８ｂにより主ビームと２つの副ビーム（先行ビ
ーム、後行ビーム）に分離され、これら３つのレーザビームＬ２は偏光ビームスプリッタ
３９ｂ、コリメータレンズ３０、１／４波長板３１、対物レンズ３２を経て、図５に示す
ように、ＤＶＤ５０のレーベル面である可視光特性変化層５５に集光される。尚、対物レ
ンズ３２にはホログラムが形成されており、これにより、入射するレーザビームの波長の
違いでスポット位置が異なるようになっている。
【００６６】
また、光ピックアップ１０は、図示しない２つのフロントモニタダイオードを有してお
り、レーザダイオード３７ａ、３７ｂがレーザビームを出射しているときに、それぞれの
出射光を受光した各フロントモニタダイオードに電流が生じ、その各電流が図３に示すＬ
ＰＣ回路１４ａ、１４ｂに供給されるようになっている。そして、ＬＰＣ回路１４ａ、１
４ｂは、それぞれ、ディスク制御部１７によって指示される最適レーザパワーの目標値と
一致する値のレーザパワーがレーザダイオード３７ａ、３７ｂから出射されるようにＬＤ
Ｄ１１ａ、１１ｂを制御する。ここで行われるＬＰＣ回路１４ａ、１４ｂによるレーザパ
ワー制御は、前記フロントモニタダイオードから供給される電流値を用い、目標となる強
度のレーザビームがレーザダイオード３７ａ、３７ｂから照射されるように制御するフィ
ードバック制御である。
【００６７】
対物レンズ３２は、フォーカスアクチュエータ３４及びトラッキングアクチュエータ３
５に保持されており、レーザビームＬ１、Ｌ２の光軸方向及びＤＶＤ５０の径方向に移動
できるようになっている。フォーカスアクチュエータ３４及びトラッキングアクチュエー
タ３５の各々は、サーボ回路１５から供給されるフォーカスエラー（ＦＥ）信号及びトラ
ッキングエラー（ＴＥ）信号に応じて対物レンズ３２を光軸方向および径方向に移動させ
る。
【００６８】
サーボ回路１５は、ヘッドアンプ１２から供給される増幅された受光信号に基づいてＦ
Ｅ信号及びＴＥ信号を生成し、それらをフォーカスアクチュエータ３４及びトラッキング
アクチュエータ３５に与えることでフォーカス制御及びトラッキング制御を行う。
【００６９】
ここで、光ピックアップ１０から出射されＤＶＤ５０に照射される上述した３つのレー
ザビームＬ１は、主ビームのスポット中心がＤＶＤ５０の１つのグルーブ５２ａ（図１参
照）の中心に位置したときに、一方の副ビームのスポットがそのグルーブ５２ａの内側面
に、他方の副ビームのスポットがそのグルーブ５２ａの外側面にそれぞれかかるような位
置関係にある。
【００７０】
そのため、サーボ回路１５は、ヘッドアンプ１２から与えられる受光信号を用いて、受
光素子３６で検出される２つの副ビームの反射光の強度の差分を演算することにより、主
ビームが目標とするグルーブ５２ａの中心に対して内側／外側のどちら側にどれだけズレ
ているのか、即ち、トラッキングエラー量を知ることができる。そして、サーボ回路１５
は、そのトラッキングエラー量をゼロにするためのＴＥ信号を生成し、そのＴＥ信号でト
ラッキングアクチュエータ３５を制御することで、ＤＶＤ５０が偏心回転しても、主ビー
ムを目標とするグルーブ５２ａの中心に正確にトレースさせることができる（トラッキン
グ制御）。尚、このトラッキング制御は、上述した３ビーム方式以外に、位相差方式（１
ビームトラッキング方式）で行うようにしても良い。
【００７１】
また、受光素子３６は、図６に示すように、実際には検出エリアが４つのエリアａ、ｂ
、ｃ、ｄに分割されており、受光素子３６に結像されるレーザビームＬ１の主ビームは、
シリンドリカルレンズ３３によって、対物レンズ３２がＤＶＤ５０に近い状態であれば縦
楕円Ａになり、遠い状態であれば横楕円Ｂになり、ピントが合った状態であれば円形Ｃに
なる。
【００７２】
このため、４つのエリアａ、ｂ、ｃ、ｄの受光強度を（ａ＋ｃ）−（ｂ＋ｄ）という演
算式で演算し、求めた演算結果から、対物レンズ３２がＤＶＤ５０に対してピントが合っ
た状態から近い側／遠い側のどちら側にどれだけズレているのか、即ち、フォーカスエラ
ー量を知ることができる。そして、サーボ回路１５は、そのフォーカスエラー量を所定の
値にするためのＦＥ信号を生成し、そのＦＥ信号でトラッキングアクチュエータ３５を制
御することで、ＤＶＤ５０が回転時に面振れを起こしても、主ビームのピントをＤＶＤ５
０上に正確に合わせることができる（フォーカス制御）。
【００７３】
図３に戻り、ステッピングモータ１８は、セットされたＤＶＤ５０の径方向に光ピック
アップ１０を移動させるためのモータである。モータドライバ１９は、モータコントロー
ラ２０から供給されるパルス信号に応じた量だけステッピングモータ１８を回転駆動する
。モータコントローラ２０は、ディスク制御部１７から指示される光ピックアップ１０の
径方向への移動方向および移動量を含む移動開始指示にしたがって、移動量や移動方向に
応じたパルス信号を生成し、モータドライバ１９に出力する。即ち、ステッピングモータ
１８が光ピックアップ１０をＤＶＤ５０の径方向に移動させること、及び、スピンドルモ
ータ２１がＤＶＤ５０を回転させることにより、光ピックアップ１０のレーザビーム照射
位置をＤＶＤ５０の様々な位置に移動させることができる。
【００７４】
また、ディスク制御部１７は、図示しないＣＰＵ（Central Processing Unit）、ＲＯ
Ｍ（Read Only Memory）、ＲＡＭ（Random Access Memory）、バッファメモリ等を備えて
おり、ＣＰＵは、ＲＯＭに格納されたファームウェア（プログラム）にしたがってディス
クドライバ１１０の各部を制御し、ＤＶＤ５０に対する再生または記録のための各種処理
、及び、レーベル印刷のための各種処理を中枢的に制御している。尚、ＲＡＭは各種処理
時のワークメモリとして使用される。
【００７５】
ディスク制御部１７は、再生時には、光ピックアップ１０から再生レベルのレーザビー
ムを出射させるためにＬＤＤ１１ａ、ＬＰＣ１４ａに指示信号を与える。再生レベルとは
、上述したサーボ回路１５によるフォーカス制御及びトラッキング制御のために必要な反
射光が得られる照射パワーのレベルを言い、この再生レベルのレーザビームでは、ＤＶＤ
５０の記録色素膜５２に記録されている電子情報（ピット）を読み取ることはできるが、
記録色素膜５２への電子情報の記録を行うことはできない。そして、ＤＶＤ５０の記録色
素膜５２から読み出されＦＥＰ１３で復調された音楽データ等の各種データをバックエン
ドである本体装置１２０へ送信し、本体装置１２０の各種再生手段（不図示）でそのデー
タが再生される。
【００７６】
また、電子情報の記録時には、ＤＶＤ５０に記録する電子情報である音声データや映像
データ等が、バックエンドである本体装置１２０から送信され、ディスク制御部１７内の
バッファメモリに蓄積される。そして、ディスク制御部１７は、このバッファメモリに蓄
積された電子情報に基づいて光ピックアップ１０から記録レベルのレーザビームＬ１を出
射させるためにＬＤＤ１１ａ及びＬＰＣ回路１４ａに照射指示信号を与え、ＤＶＤ５０の
記録色素膜５２に電子情報の記録を行う。この記録レベルとは、記録色素膜５２に電子情
報（ピット）を書き込む照射パワーのレベルを言う。
【００７７】
また、画像（可視情報）形成時には、画像データ（可視情報データ）がバックエンドで
ある本体装置１２０から送信されバッファメモリに蓄積される。この画像データとは、円
盤状の光ディスクの面上に画像を形成するためのデータであり、光ディスクのレーベル面
に形成する画像のビットマップデータを極座標形式のデータに変換したものであり、光デ
ィスクの中心点を中心とする多数の同心円上の複数の各座標点毎にその点の階調度（濃淡
）を示す情報が記述されているデータである。
【００７８】
そして、ディスク制御部１７はバッファメモリに蓄積されたこの画像データに基づいて
、可視光特性変化層５５を変色（または変形）させるために必要なパワーのレーザビーム
Ｌ２をレーザダイオード３７ｂから出射させるためにＬＤＤ１１ｂ及びＬＰＣ回路１４ｂ
に照射指示信号を与え、これにより、可視光特性変化層５５のレーザビームＬ２が照射さ
れた部分が変色（または変形）を起こし、可視光特性変化層５５に画像が形成される。
【００７９】
次に、ディスクドライバ１１０を制御し、ディスク制御部１７に各種データを送信する
本体装置１２０の構成を説明する。本体装置１２０は、受信部２２と、ＥＰＧ（Electron
ic Program Guide：電子番組表）デコーダ２３と、コントローラ２４と、入力部２５と、
信号処理部２６とを備えている。
【００８０】
入力部２５は、スイッチ、ボタン或いはリモコン等から構成され、ユーザの操作内容に
応じた信号をコントローラ２４へ出力するものである。これにより、ユーザは、種々のデ
ータを本体装置１２０に入力することができ、本体装置１２０を操作することができる。
【００８１】
受信部２２は、アンテナ、チューナ、分離器等を含み、アンテナで受信したデジタル放
送信号が受信部２２に入力される。受信するデジタル放送信号には、映像データ（例えば
、ＭＰＥＧ２ビデオデータ）、音声データ（例えば、ＭＰＥＧ２オーディオデータ）、及
びＥＰＧデータが重畳されている。
【００８２】
受信部２２で受信したデジタル放送信号は信号処理部２６に与えられ、信号処理部２６
でデジタル放送信号から映像データと音声データが抽出される。そして、抽出された映像
データ及び音声データは、信号処理部２６からコントローラ２３へ出力される。
【００８３】
また、受信部２２で受信したデジタル放送信号はＥＰＧデコーダ２２へも与えられ、Ｅ
ＰＧデコーダ２２でデジタル放送信号からＥＰＧデータが抽出される。ＥＰＧデータには
、番組のタイトル、番組の概略、番組の放送日時、放送開始時刻、放送終了時刻、番組の
ジャンル、番組のキーワード（例えば、番組の出演者の名前）等といった番組ごとに対応
づけられた情報が含まれている。ＥＰＧデコーダ２２で抽出されたＥＰＧデータは、ＥＰ
Ｇデコーダ２２からコントローラ２３へ出力される。
【００８４】
コントローラ２４は、図示しないＣＰＵ、ＲＡＭ、ＲＯＭを有しており、このＲＯＭに
は、本体装置１２０全体を制御するためのプログラムが格納されている。そして、ＣＰＵ
がＲＡＭを作業領域としてＲＯＭに格納されたプログラムや入力部２５からの信号に従っ
た演算処理を行い、ＣＰＵの演算処理によってコントローラ２４が本体装置１２０全体を
制御することができる。
【００８５】
また、コントローラ２４は、画像データ生成手段２４ａを有しており、ＥＰＧデコーダ
２２から与えられるＥＰＧデータに含まれる情報に基づいて、上述したＤＶＤ５０に形成
する画像の画像データを生成する。この画像データ生成手段２４ａは、例えば、プログラ
ムによって実現可能である。
【００８６】
このコントローラ２４は録画制御を行う。録画制御とは、入力部２５からコントローラ
２３に録画指令信号が入力された場合に、コントローラ２４がディスク制御部１７に記録
開始指示信号とともに信号処理部２６からコントローラ２４に入力された映像データ及び
音声データを送信し、ＤＶＤ５０にその映像データ及び音声データを記録するための制御
である。これにより、ユーザは所望の番組をＤＶＤ５０に録画することができる。
【００８７】
また、デジタル放送番組を録画する場合には、ＥＰＧを利用した予約録画を行うことが
できる。この場合、まず、ユーザが入力部２５を操作することで、入力部２５からコント
ローラ２４に番組表表示指令信号が入力される。これにより、コントローラ２４が番組表
のデータを図示しない表示部に表示させ、ユーザが入力部２５を操作することによって表
示された番組表の中から所望の番組を選択して予約録画を指令すると、コントローラ２４
はその番組のタイトル、概略、放送日時、放送開始時刻、放送終了時刻、ジャンル、キー
ワード等といった情報のデータをＥＰＧデータから取得し、これらの情報を予約データと
してコントローラ２４内のＲＡＭに記憶する。
【００８８】
次いで、予約された番組の放送開始時刻になったときに、予約された番組のデジタル放
送信号が受信部２１を介して信号処理部２６に入力され、信号処理部２６からコントロー
ラ２４へその番組の映像データ及び音声データが入力されると、コントローラ２４は、入
力されている映像データと音声データをＤＶＤ５０へ記録するために記録開始指示信号と
ともにディスク制御部１７へ送信する。これにより、予約された番組の映像データと音声
データがＤＶＤ５０の記録面である記録色素膜５２に記録される。
【００８９】
また、このとき、コントローラ２４の画像データ生成手段２４ａは、コントローラ２４
内のＲＡＭに記憶されているその予約された番組の放送開始時刻と放送終了時刻とから、
その番組のＤＶＤ５０へ記録される映像データ及び音声データの情報量を算出し、その情
報量からＤＶＤ５０の記録色素膜５２における記録領域を算出する。そして、その記録領
域に相対する可視光特性変化層５５の領域に、その領域の大きさに応じた大きさでその番
組のタイトル等のその番組を識別するために必要な識別情報を示す画像を形成するための
画像データを生成し、ディスク制御部１７へ送信する。これにより、予約された番組の映
像データと音声データのＤＶＤ５０の記録色素膜５２への記録と同時に、予約された番組
のその番組のタイトル等のその番組を識別するために必要な識別情報を示す画像がＤＶＤ
５０の可視光特性変化層５５に形成される。
【００９０】
例えば、○月×日の１０時〜１１時まで放送される「ＡＢＣＤＥＦ」という番組を予約
録画した場合、ＤＶＤ５０の１時間分の映像データと音声データの記録に要する記録色素
膜５２における記録領域に相当する可視光特性変化層５５の領域に、図７に示すように、
「○月×日ＡＢＣＤＥＦ」という文字が形成されることになる。このとき、可視光特性変
化層５５に形成される文字のフォントサイズをその形成する領域の大きさに合わせて調整
するようにするとユーザによる認識がより容易となって良い。また、図７に示すように、
その番組の映像データと音声データの記録済み領域が目視により認識できるように、その
記録済み領域に相対する可視光特性変化層５５の領域を変色させるようにしてもしても良
いし、記録済み領域と未記録領域との境界を示す境界線を形成するようにしても良い。い
ずれも記録済み領域が瞬時に認識できるようにするためである。
【００９１】
次に、このような構成の光ディスク装置１００のＤＶＤ５０への電子情報の記録動作及
び画像形成動作を、図８に示すフローチャートを参照して説明する。
【００９２】
ここで、光ディスク装置１００には既にＤＶＤ５０がセットされ、ユーザが本体装置１
２０の入力部２５を操作することにより、上述したように、番組の予約録画が設定されて
いるものとする。
【００９３】
そして、予約された番組の放送開始時刻になったときに、セットしたＤＶＤ５０への電
子情報の記録開始指示が本体装置１２０からディスク制御部１７へ与えられる（ステップ
Ｓ１）。このとき、ＤＶＤ５０の記録色素膜５２に記録するその番組の音声データや映像
データ等の電子情報と、可視光特性変化層５５に形成する画像の画像データであってその
番組に対応する画像データとが本体装置１２０からディスク制御部１７へ与えられ、これ
らの与えられたデータがディスク制御部１７内のバッファメモリに蓄積される。
【００９４】
次に、ディスク制御部１７は、モータ駆動回路１６を制御して、スピンドルモータ２１
によりＤＶＤ５０を所定速度で回転させる（ステップＳ２）。
【００９５】
次に、ディスク制御部１７は、ＬＤＤ１１ａ、ＬＰＣ１４ａに指示信号を与え、光ピッ
クアップ１０から再生レベルのレーザビームＬ１をＤＶＤ５０へ照射する（ステップＳ３
）。そして、これ以後、照射されたレーザビームＬ１のＤＶＤ５０の色フィルタ５３から
の反射光の信号であるヘッドアンプ１２からの受光信号に基づいて、上述したサーボ回路
１５によるフォーカス制御及びトラッキング制御が行われる。
【００９６】
次に、ディスク制御部１７は、モータコントローラ２０に移動開始指示を与え、バッフ
ァメモリに蓄積されている音声データ、映像データ及び画像データに基づいて電子情報記
録及び画像形成のためにレーザ照射を行う位置へ光ピックアップ１０を移動させる（ステ
ップＳ４）。
【００９７】
そして、ディスク制御部１７は、光ピックアップ１０がバッファメモリに蓄積されてい
る音声データ及び映像データに基づいてＬＰＣ１４ａに照射指示信号を与え、光ピックア
ップ１０から照射されるレーザビームＬ１の照射パワーが再生レベルと記録レベルとに切
り替えられる。これにより、記録色素膜５２への電子情報の記録がなされる（ステップＳ
５）。
【００９８】
また、このとき、ディスク制御部１７は、バッファメモリに蓄積されている画像データ
に基づいてＬＤＤ１１ｂ、ＬＰＣ１４ｂに照射指示信号を与え、光ピックアップ１０から
記録レベルのレーザビームＬ２がＤＶＤ５０へ照射される（ステップＳ５）。尚、このと
きのレーザビームＬ２の照射パワーは、画像データに含まれる階調度（濃淡）に応じて決
められる。これにより、可視光特性変化層５５に画像が形成される。
【００９９】
また、このとき、ＤＶＤ５０の可視光特性変化層５５上に照射されるレーザビームＬ２
は、照射されているレーザビームＬ１（再生レベルまたは記録レベルのいずれか）の反射
光に基づいて対物レンズ３２がサーボ回路１５によりフォーカス制御及びトラッキング制
御されているので、可視光特性変化層５５上の画像データを形成すべき座標点に正確に位
置合わせ及びピント調整されている。
【０１００】
即ち、ＤＶＤ５０の可視光特性変化層５５には、フォーカス制御及びトラッキング制御
のためのグルーブが設けられておらず、また、画像形成のために照射するレーザビームＬ
２に関しては、その反射光に基づくフォーカス制御及びトラッキング制御を行うことなく
、可視光特性変化層５５上の所望の位置に正確にレーザビームＬ２が照射される。これに
より、ＤＶＤ５０の可視光特性変化層５５に所望の画像を正確に形成することができる。
【０１０１】
そして、ディスク制御部１７は、バッファメモリに蓄積されている音声データ、映像デ
ータ及び画像データのすべてに対するレーザビームＬ１、Ｌ２の照射による電子情報記録
処理及び画像形成処理を行ったか否か、即ち、記録すべき電子情報を記録し終え、且つ、
形成すべき画像を形成し終えたか否かを判別し（ステップＳ６）、まだ、記録し終えてい
ないか、または、形成し終えていないと判別したときは、ステップＳ４に戻り、電子情報
の記録及び／または画像形成を継続する。
【０１０２】
一方、記録すべき電子情報を記録し終え、且つ、形成すべき画像を形成し終えたと判別
したときは（ステップＳ６）、ＬＤＤ１１ａ、ＬＰＣ１４ａに指示信号を与え、光ピック
アップ１０からのレーザビームＬ１の照射を停止するとともに、モータ駆動回路１６を制
御してモータ２１によるＤＶＤ５０の回転を停止させる（ステップＳ７）。以上で、電子
情報の記録動作及び画像形成動作が終了する。
【０１０３】
以上説明したように、本実施形態に示す光ディスク装置１００によれば、ＤＶＤ５０に
対して、本来の電子情報の記録を行うだけでなく、記録した電子情報を識別するとともに
その電子情報の記録済み領域を示す画像をレーベル面に形成することができる。これによ
り、ユーザは、目視により、記録されている電子情報の内容を認識することができるとと
もに、ＤＶＤ５０の記録済み領域を瞬時に認識することができる。
【０１０４】
また、ユーザは、ＤＶＤ５０の記録面を光ピックアップ１０に対向させるようにして光
ディスク装置１００に一度セットすれば、従来の装置と同様にしてＤＶＤ５０の記録面に
電子情報の記録をするだけでなく、レーベル面に画像を形成することができる。このため
ユーザは、専用のプリンタ装置を用意する必要はなく、情報が記録されているＤＶＤに別
途印刷したラベルシートを貼ったり、或いは、レーベル印刷を行うためにＤＶＤ５０を裏
返して再度セットしたりするような煩雑な作業をする必要がなくなる。
【０１０５】
また、本実施形態に示す光ディスク装置１００は、ＤＶＤ５０への電子情報記録とレー
ベル印刷とを同時進行で行うので、ＤＶＤ５０に情報記録とレーベル印刷の両方を行うた
めに要する時間を短縮することができる。即ち、光ディスクのレーベル面に画像を効率良
く印刷することができる。
【０１０６】
また、以上説明した本実施の形態に示すＤＶＤ５０では、ＤＶＤ用の光源（６３０ｎｍ
〜６９０ｎｍ帯域の光源）で情報を再生または記録し、ＣＤ用光源（７７０ｎｍ〜８００
ｎｍ帯域の光源）でレーベル印刷を行う実施例を示したが、本発明は他の例にも適用する
ことが可能である。具体的には、例えば、次世代ＤＶＤの光源である４０５ｎｍ帯域のレ
ーザ光源を用いて光ディスクに情報を記録し、そして、ＤＶＤ用の光源でレーベル印刷を
行うような例についても、本発明は適用可能である。
【０１０７】
尚、今回開示された実施の形態はすべての点で例示であって制限的なものではないと考
えられるべきである。本発明の範囲は上記した説明ではなくて特許請求の範囲によって示
され、特許請求の範囲と均等の意味及び範囲内でのすべての変更が含まれることが意図さ
れる。
【図面の簡単な説明】
【０１０８】
【図１】本発明の一実施形態の光ディスク装置が対象とする光ディスクの一例であるＤＶＤの構成を示す側断面図である。
【図２】図１に示すＤＶＤにおいて色フィルタの材料とされることが可能なシアニン色素の吸光度および屈折率を示す図である。
【図３】本発明の一実施形態の光ディスク装置の構成を示すブロック図である。
【図４】図３に示す光ピックアップの構成を示す図である。
【図５】図３に示す光ピックアップから出射されるレーザビームの光路を説明するための図である。
【図６】図３に示す受光素子の構成を示す図である。
【図７】図３に示す光ディスク装置で形成した画像の一例を示す図である。
【図８】図３に示す光ディスク装置の電子情報の記録動作及び画像形成動作を説明するためのフローチャートである。
【符号の説明】
【０１０９】
１０    光ピックアップ
１１ａ    レーザダイオードドライバ（ＬＤＤ、第１のレーザダイオードドライバ）
１１ｂ    レーザダイオードドライバ（ＬＤＤ、第２のレーザダイオードドライバ）
１２    ヘッドアンプ（ＨＡ）
１３    フロントエンドプロセッサ（ＦＥＰ）
１４ａ、１４ｂ    レーザパワーコントロール回路（ＬＰＣ）
１５    サーボ回路
１６    モータ駆動回路
１７    ディスク制御部（制御手段）
１８    ステッピングモータ
１９    ドライバ
２０    モータコントローラ
２１    スピンドルモータ
２２    受信部
２３    ＥＰＧデコーダ（関連情報取得手段）
２４    コントローラ
２４ａ    画像データ生成手段（可視情報生成手段）
２５    入力部
２６    信号処理部（電子情報取得手段）
３０    コリメータレンズ
３１    １／４波長板
３２    対物レンズ
３３    シリンドリカルレンズ
３４    フォーカスアクチュエータ
３５    トラッキングアクチュエータ
３６    受光素子
３７ａ    レーザダイオード（第１のレーザダイオード）
３７ｂ    レーザダイオード（第２のレーザダイオード）
３８ａ、３８ｂ    回折格子
３９ａ、３９ｂ    偏光ビームスプリッタ
４０    光学系
５０    ＤＶＤ（光ディスク）
５１、５４    基板
５２    色素記録膜（情報記録層）
５３    色フィルタ（二色性反射膜）
５５    可視光特性変化層（レーベル層）
５６    透明中間層
１００    光ディスク装置
１１０    ディスクドライバ
１２０    本体装置
Ｌ１    レーザビーム（第１のレーザビーム）
Ｌ２    レーザビーム（第２のレーザビーム）
【図１】
2006134426.tif 000004
【図２】
2006134426.tif 000005
【図３】
2006134426.tif 000006
【図４】
2006134426.tif 000007
【図５】
2006134426.tif 000008
【図６】
2006134426.tif 000009
【図７】
2006134426.tif 000010
【図８】
2006134426.tif 000011